(57)【特許請求の範囲】
【請求項１】
クリップ本体を揺動可能に保持するクリップホルダーを設け、該クリップホルダーに対向状態に脚片を形成すると共に該脚片の外面に係止部を形成し、被保持体に掛止孔を設け、上記クリップホルダーの係止部を上記掛止孔の孔縁に係合し、上記脚片間に上記クリップ本体を挟持方向に付勢する板ばね状の挟持ばねの基端を略内接状態で挿入したことを特徴とするクリップ。
【請求項２】
上記クリップホルダーは、上記クリップ本体の両側壁間に挿入されるよう対向状態に形成された起立片を有し、上記クリップ本体の側壁の内面及び上記起立片の外面に該クリップ本体とクリップホルダーを揺動可能に連結する係合部を形成し、上記挟持ばねの先端を上記起立片間に略内接状態で挿通した請求項１に記載のクリップ。
【請求項３】
上記挟持ばねは、略Ｓ字状に形成されている請求項１または２に記載のクリップ。
【請求項４】
上記挟持ばねは、略Ｃ字状に形成されている請求項１または２に記載のクリップ。
【請求項５】
上記クリップ本体の内面には、上記クリップホルダー側に向けて先端を傾斜させ軟質材料で形成された抜け止め片が設けられている請求項１または２に記載のクリップ。
【請求項６】
上記抜け止め片は複数のヒダ状に設けられている請求項５に記載のクリップ。
【請求項７】
上記抜け止め片は、２色成形、インサート成形等の要領によりクリップ本体と一体成形されている請求項５または６に記載のクリップ。
【請求項８】
上記抜け止め片は、上記クリップ本体と別体に形成され、該クリップ本体に嵌め込まれている請求項５または６に記載のクリップ。
【請求項９】
上記クリップ本体の外面には、上記抜け止め片に連結される外側片があり、該外側片は軟質材料で形成されている請求項７または８に記載のクリップ。
【発明の詳細な説明】
【技術分野】
【０００１】
本発明は筆記具、化粧用具その他の物品をポケット等の止着体に掛け止めるためのクリップに関する。
【背景技術】
【０００２】
筆記具に設けられているクリップとしては、基端を軸筒やキャップ等と一体的に形成してクリップ本体の弾性力だけで挟持するようにしたものや、軸筒やキャップ等と一体的に接続部や突起を形成し、この接続部等と別体に設けたクリップ本体を該接続部に取り付け、挟持ばねを組み込んでクリップ本体を挟持方向に付勢して挟持するもの等が知られている（例えば、特許文献１、２参照）。しかし、挟持ばねを用いるクリップは、軸筒等に係着溝や挿入孔を形成し、この係着溝等に挟持ばねの基端を挿入して取り付ける構成であるため、軸筒等の製造や組立作業が面倒である。また、上記挟持ばねは、略Ｃ字状や略Ｓ字状の板ばねで構成されているが、該ばねによる挟持作用だけでは不充分で脱落しやすいものもあった。
【特許文献１】特開平８−２５８４８８号公報（図７、図８）
【特許文献２】特許第３１７５９３３号公報（図１、図２）
【発明の開示】
【発明が解決しようとする課題】
【０００３】
本発明の解決課題は、筆記具の軸筒、キャップその他の被保持体とクリップ本体を別体に形成し、該クリップ本体を被保持体に組み込み、挟持ばねで該クリップ本体を挟持方向に付勢するようにしたクリップにおいて、被保持体にクリップ本体を保持する突起や挟持ばねを挿し込むための挿入孔を設ける必要がなく、製造や組み立てが容易でかつ壊れにくいクリップを提供することであり、また、ばねの挟持力が不充分な場合にも簡単に抜け落ちたりしないようにしたクリップを提供することである。
【課題を解決するための手段】
【０００４】
本発明によれば、クリップ本体を揺動可能に保持するクリップホルダーを設け、該クリップホルダーに対向状態に脚片を形成すると共に該脚片の外面に係止部を形成し、被保持体に掛止孔を設け、上記クリップホルダーの係止部を上記掛止孔の孔縁に係合し、上記脚片間に上記クリップ本体を挟持方向に付勢する板ばね状の挟持ばねの基端を略内接状態で挿入したことを特徴とするクリップが提供され、上記課題が解決される。
【０００５】
また、本発明によれば、上記クリップは、クリップ本体の内面に軟質材料で形成した抜け止め片を有し、該抜け止め片の先端をクリップホルダー側に傾斜させている上記クリップが提供される。
【発明の効果】
【０００６】
本発明の上記のように構成され、被保持体と別体にクリップホルダーを形成し、該クリップホルダーに対向して設けた脚片の外面に係止部を形成したから、挟持ばねを取り付ける前の上記クリップホルダーは上記脚片を容易に内方にたわませることができ、被保持体の掛止孔の孔縁に上記係止部を簡単に係合させることができる。その後、上記脚片間に略内接状態で板ばね状の挟持ばねの基端を挿入すると、上記脚片を内方にたわませることがむずかしくなり、クリップホルダーと被保持体は確実に連結され、組み立てが容易である。また、被保持体には、掛止孔を形成すればよいので、製作が容易で経済的に得ることができる。
【０００７】
上記クリップホルダーに、クリップ本体の両側壁間に挿入されるよう対向状態で起立片を形成し、該クリップ本体の側壁の内面及び上記起立片の外面に該クリップ本体とクリップホルダーを揺動可能に連結する係合部を形成すると、該係合部を係合させる際、上記起立片が内方にたわんで該係合部どうしを容易に係合させることができ、その後に該起立片間に上記挟持ばねの一端を略内接状態に挿入することにより上記起立片はたわみにくくなるので、上記クリップ本体とクリップホルダーを容易かつ確実に連結することができる。
【０００８】
さらに、上記クリップ本体の内面に先端がクリップホルダー方向に傾斜し軟質材料で形成された抜け止め片を設けると、上記被保持体とクリップ本体間に紙や衣服等の止着体を差し込むときは容易に挟み込むことができ、挟み込み後は該抜け止め片が抵抗となって引き抜き方向に脱落しにくくすることができる。また、抜け止め片を複数のヒダ状に形成すれば、例えば、手帳、ノ−ト等の止着体へ縦方向や横方向からクリップを挟着させても傾いたり、滑り落ちたりすることなく、一層確実に取り付けでき、紛失を防止することができる。
【発明を実施するための最良の形態】
【０００９】
本発明のクリップは、筆記具、化粧用具その他の適宜の物品のクリップに使用することができ、図面では、好適な実施例として筆記具に本発明を適用した例を示している。また、クリップを取り付ける部分は、筆記具等の軸筒、キャップやクリップホードの台紙その他の適宜の部位を被保持体として設けることができ、図１においては、軸筒にクリップを設けた実施例が示されている。
【００１０】
図１を参照し、本発明の筆記具（１）は、筒状の軸筒（２）の先端に口金（３）をねじ着等により取り付けてあり、該軸筒（２）の側面の一部を弧状に凹ませて平面部（４）を形成し、該平面部（４）に開口（５）を形成し、該開口（５）の周囲には２色成形若しくはインサート成形等の要領により軸筒（２）と一体的に軟質材料で作られた縁片（６）が設けられている。上記平面部（４）には、クリップ本体（７）が対向しており、該平面部（４）の後部には、略矩形状の掛止孔（８）が形成されている。
【００１１】
上記軸筒（２）内には、ほぼ軸筒の内面に内接する断面形状のスライダー（９）を軸方向に移動可能に設けてある。該スライダー（９）は、ばね（１０）で後方に付勢され、後退位置で上記開口（５）の口縁に係合して該スライダーの移動を停止させるよう係止突起（１１）がスライダーの先部の外面に形成されている。なお、該スライダー（９）を軸筒（２）に挿入する際、該スライダーの先部をたわませることができるよう先端には、前方に開口するスリット（１２）が設けられている。
【００１２】
上記スライダー（９）の外側には、上記軸筒（２）の内面に形成した突条（１３）（図３参照）に案内されて摺動するよう受溝（１４）を形成してある。なお、突条をスライダーに形成し、軸筒に受溝を形成してもよいし、該突条と受溝を省略してもよい。
【００１３】
上記スライダー（９）の内方には、ボールペンレフィール等のレフィール（１６）が挿入され、該レフィールを取り囲みかつ上記ばね（１０）の後端を支持するよう軸方向に延びる複数のリブ（１５）が形成され（図３）、後部には上記レフィールの後端外周を摩擦的に把持するよう内面に小突条を有する径小部（１７）が形成されている。なお、該径小部（１７）の外周には、軸筒（２）の後端から突出するノックボタン（１８）が嵌着されており、該ノックボタン（１８）は、上記径小部（１７）の外面に設けた係止突起（１９）をノックボタン（１８）の係止孔（２０）に係合させることにより抜け止めされている。
【００１４】
上記クリップ本体（７）は、上記軸筒（２）と別体に形成したクリップホルダー（２１）により軸筒（２）に取り付けられる。該クリップホルダー（２１）は、図５に示すように基板（２１ａ）の両側に対向状態で下方に突出する脚片（２２）、（２２）と該脚片（２２）、（２２）の外面に形成された係止部（２３）を有している。該脚片（２２）、（２２）間には、突片（２１ｂ）により挿入溝（２４）が形成され、該脚片（２２）、（２２）を内方にたわませることができるようプラスチック材料で作ると共に上記基板（２１ａ）に凹み（２１ｃ）が設けられている。該クリップホルダー（２１）の前部には、上記軸筒（２）の上記掛止孔（８）の前方の孔縁（２５）（図１参照）に係合するよう係止爪（２６）を設けてあり、該係止爪（２６）を係合させた状態で上記脚片を掛止孔の後方の孔縁（２７）に内接しつつ上記掛止孔（８）内に挿入できるよう該脚片（２２）の後縁には傾斜面（２８）を設けてある。上記係止部（２３）は、適宜の形状に形成することができるが、図１においては上記掛止孔（８）の側方の孔縁（２９）（図４参照）に嵌合して係合するよう溝状に形成されている。なお、上記孔縁（２９）には、図４に示すように段部を形成してあり、上記脚片（２２）、（２２）の一部が嵌着するようにしてある。
【００１５】
また、上記クリップホルダー（２１）には、対向状態で起立片（３０）、（３０）を形成してあり、該起立片（３０）、（３０）は、クリップ本体（７）の両側壁（３１）、（３１）間に挿入できる間隔に設けられている。該クリップ本体（７）は、図６に示すように、両側の側壁（３１）、（３１）の後端に傾斜面（３２）が形成され、先端側に弧状の突起（３３）を有し、該突起（３３）部分に上記スライダー（９）が前進位置にあるとき、上記係止突起（１１）が係合してレフィール（１６）を筆記位置に保持するようストップ片（３４）を突設してある。公知のようにこの保持は、クリップを開口することにより解放され、レフィール（１６）はばね（１０）により後退する。
【００１６】
上記クリップ本体（７）は、クリップホルダー（２１）に揺動可能に保持され、上記クリップ本体（７）の側壁（３１）及びクリップホルダー（２１）の起立片（３０）にはそのための適宜構造の係合部が設けられている。図５、図６に示す実施例では、上記クリップ本体（７）の係合部は、孔（３５）であり、上記クリップホルダー（２１）の係合部は組み込み側の側面に傾斜面（３６）を有する略円柱状の小突起（３７）で構成してあるが、上記クリップホルダー（２１）に孔を設けクリップ本体（７）に小突起を設けてもよい。また、その他適宜の構造によりクリップ本体とクリップホルダーを係合させることができる。
【００１７】
上記クリップ本体（７）は、全体がプラスチック材料、金属材料、木材料等の硬質材料で作られ、上記突起（３３）やストップ片（３４）を除いて裏面をほぼ平面状に形成してもよいが、好ましくは先端側の内面に軟質材料で形成した抜け止め片（３８）を設けてある。該抜け止め片（３８）は、軸筒（２）等の被保持体との間に紙や衣服等の止着体を挿入したとき、挟み込むときは抵抗が少なく、引き抜くときは大きな抵抗を生じるような形状、材質に形成してある。図１等に示す実施例では、先端をクリップホルダー（２１）側に傾斜させたヒダ状の部片（３９）を多数設けてあるが、舌状の部片を１つ若しくは複数個傾斜状態に設けたり、一端をクリップ本体の裏面に枢着したレバー状の揺部材を傾斜状態に設けて抜け止め片としたり（図示略）、その他適宜に構成してもよい。なお、止着体から外す際は、クリップ本体の先端が止着体から離れる方向に手で該クリップ本体を動かせばよい。
【００１８】
上記抜け止め片（３８）は、図１に示す実施例では、外側片（４０）（図７参照）を一体的に形成し、該外側片（４０）の下方に係合溝（４１）を設けてある。一方、クリップ本体（７）には、上記外側片（４０）に対応する大きさの開口部（４２）と係止縁（４３）を形成してあり、抜け止め片自体の軟質性を利用して上記外側片（４０）を図３に示すように該開口部（４２）に嵌着するようにしてある。
【００１９】
上記抜け止め片（３８）は、その他適宜の方法でクリップ本体（７）に設けることができ、図８に示すように外側片（４４）に連結突起（４５）を設け、クリップ本体（７）を挟んで抜け止め片（３８）に設けた孔（４６）に該連結突起（４５）を挿入して固定してもよい。なお、この場合、該抜け止め片（３８）を安定させるため、該抜け止め片（３８）の背面に突起（４７）を設けてクリップ本体（７）に設けた孔（４８）に嵌合させるとよい。また、上記外側片の外面には、適宜のマーク、ロゴ、キャラクター図形、刻印、印刷等を設けることができる。このような軟質材料製の外側片をクリップ本体の外面側に設けると、クリップを操作する際の指の滑り止めとなる。
【００２０】
上記抜け止め片（３８）は、２色成形やインサート成形等の要領により上記クリップ本体（７）と一体的に形成することもできる。一体的に形成する場合、図１や図８に示すように外側片がクリップ本体の外面に表われる状態に一体成形してもよいし、図９に示すように外側片を省略してクリップ本体（７）の内面側に一体的に成形してもよい。
【００２１】
上記クリップ本体（７）を挟持方向に付勢する板ばね状の挟持ばね（４９）は、図１に示す実施例では、図１０に拡大図示するように略Ｓ字状に形成され、基端（５０）を上記クリップホルダー（２１）の脚片（２２）、（２２）の内側にほぼ内接する状態で上記挿入溝（２４）に挿入できる幅に形成されている。また、該挟持ばね（４９）の先端（５１）側も上記起立片（３０）、（３０）の内側にほぼ内接する幅に形成され、該先端（５１）が上記クリップ本体（７）の後端側裏面に当接するよう構成されている。なお、該挟持ばねは上述の如き幅を有する略Ｃ字状の板ばねで形成することもできる。略Ｃ字状の挟持ばねの場合は、挟持ばねの先端が、上記クリップホルダーより前方のクリップ本体の外面に当接してクリップ本体を挟持方向に付勢するように設ければよい（図示略）。
【００２２】
而して、上記クリップ本体（７）に軸筒（２）に取り付けるには、先ずクリップホルダー（２１）の脚片（２２）を軸筒（２）の掛止孔（８）に挿入し、係止部（２３）を掛止孔（８）の孔縁（２９）に係合させ、クリップ本体（７）の孔（３５）に起立片（３０）の小突起（３７）を係合させる。この際、対向状態で設けられている上記脚片や起立片は、脚片間や起立片間に何も挿入されていないから、簡単に内方にたわませることができ、上記の係合はきわめて容易である。
【００２３】
そして、上記脚片（２２）間に設けた挿入溝（２４）に挟持ばね（４９）の基端（５０）を挿入し、先端（５１）を上記起立片（３０）間を通してクリップ本体（７）の裏面に当接させて挟持ばね（４９）を取り付ける。該挟持ばね（４９）は上記脚片（２２）や起立片（３０）にほぼ内接する幅に形成されているので、該挟持ばね（４９）を取付後は、上記脚片や起立片を内方に簡単に傾斜させることができず、クリップ本体を確実に取り付けることができる。なお、軸筒（２）の後部には、好ましくは挟持ばね（４９）を抜け止めするよう抜け止め突起（５２）を設けてあるが、挟持ばね（４９）の基端（５０）の側縁を鋸歯状に形成して該抜け止め突起（５２）を省略することもできる。
【図面の簡単な説明】
【００２４】
【図１】本発明の一実施例を示す断面図。
【図２】図１のＡ−Ａ線断面図。
【図３】図１のＢ−Ｂ線断面図。
【図４】図１のＣ−Ｃ線断面図。
【図５】クリップホルダーを示し、（Ａ）は正面図、（Ｂ）は側面図、（Ｃ）は上記（Ｂ）図のＤ−Ｄ線断面図、（Ｄ）は上記（Ａ）図のＥ−Ｅ線断面図。
【図６】クリップ本体を示し、（Ａ）は平面図、（Ｂ）は上記（Ａ）図のＦ−Ｆ線断面図、（Ｃ）は正面図、（Ｄ）は上記（Ｃ）図のＧ−Ｇ線断面図、（Ｅ）は上記（Ｃ）図のＨ−Ｈ線断面図。
【図７】抜け止め片の斜視図。
【図８】抜け止め片の他の実施例を示す断面図。
【図９】抜け止め片のさらに他の実施例を示す断面図。
【図１０】挟持ばねの斜視図。
【符号の説明】
【００２５】
１    筆記具
２    軸筒
７    クリップ本体
８    掛止孔
９    スライダー
１６    レフィール
２１    クリップホルダー
２２    脚片
２３    係止部
３０    起立片
３８    抜け止め片
４０    外側片
４９    挟持ばね
５０    基端
５１    先端
【図１】
0004648818.tif 000002
【図２】
0004648818.tif 000003
【図３】
0004648818.tif 000004
【図４】
0004648818.tif 000005
【図５】
0004648818.tif 000006
【図６】
0004648818.tif 000007
【図７】
0004648818.tif 000008
【図８】
0004648818.tif 000009
【図９】
0004648818.tif 000010
【図１０】
0004648818.tif 000011